(57)【要約】【課題】  第一親骨、第二親骨及び第五親骨に凹部を形成して、傘の展開時に親骨を直線状に牽引することができ、且つ該凹部と親骨を一体に成型するため、加工が簡単で、材料を節減することができる折り畳み式傘を提供する。【解決手段】第一親骨と、第二親骨と、第五親骨とを含んでなり、該第一親骨の一端に設けられたダボが第二親骨の一端に開閉自在に接続し、該第二親骨には親骨を直線状に牽引する凹部を形成する。【選択図】図３
0003124060.tif 000002
【実用新案登録請求の範囲】
【請求項１】
第一親骨と、
第二親骨と、
第五親骨とを含んでなり、
該第一親骨の一端に設けられたダボが第二親骨の一端に開閉自在に接続し、該第二親骨には親骨を直線状に牽引する凹部を形成することを特徴とする折り畳み式傘。
【請求項２】
該第一親骨及び第五親骨には、傘の展開時に該親骨を直線状に牽引する凹部を具えてなることを特徴とする請求項１に記載の折り畳み式傘。
【請求項３】
前記凹部は突出する方向が折り畳み式傘の展開時に該親骨の動作の方向と同じか、もしくは逆に形成することを特徴とする請求項１もしくは請求項２に記載の折り畳み式傘。
【請求項４】
前記凹部は第二親骨と一体に成型し、凹部は第二親骨と第一親骨が開閉自在に接続する一端に隣接して形成することを特徴とする請求項１もしくは請求項３に記載の折り畳み式傘。
【請求項５】
前記第一親骨のダボは第一親骨と一体に成型するか、もしくは別々に形成した後、組み合わせてなることを特徴とする請求項１に記載の折り畳み式傘。
【請求項６】
前記親骨は中空でない円形の桿体に形成することを特徴とする請求項１、請求項２もしくは請求項３のいづれかに記載の折り畳み式傘。
【請求項７】
前記第二親骨の接続端は第二親骨と一体に成型するか、もしくは別々に形成した後、組み合わせてなることを特徴とする請求項１に記載の折り畳み式傘。
【請求項８】
前記凹部はＶ字、Ｕ字、もしくは多辺形を呈するように形成することを特徴とする請求項１もしくは請求項２に記載の折り畳み式傘。
【考案の詳細な説明】
【技術分野】
【０００１】
この考案は、折り畳み式傘に関し、特に収納時に折り畳むことができる折り畳み式傘に関する。
【背景技術】
【０００２】
傘は日差しや雨を避けるための道具として利用されており、軽くて、実用的なことから多くの人に利用されている。特に、折り畳み式傘は、収納時に折り畳むことができて携帯に便利であるため、利用者が多い。折り畳み式傘は、折り畳む回数により２段、もしくは２段以上に分けられる。折り畳み式傘は収納する場合の体積を縮小し、強度を強くするため、折り畳み式傘の傘骨が従来のＵ字形から円形の桿体に形成されるようになり、特に最も外側に設けられる外親骨は、そのほとんどが円柱の桿体に形成されている。
【０００３】
しかしながら、円形の桿体は方向性に欠けているため、隣接する傘骨が適宜な距離をおいて直線状に開かず隣接する傘骨に近づくように開くことがある。よって、折り畳み式傘を開く場合、円形の桿体の傘骨が湾曲や、歪むなどして直線状に開かない。特に方向性を補助するものがない円形の桿体の折り畳み式傘は傘骨が湾曲、歪み易く、甚だしくは接続端が湾曲して傘をスムーズに開閉することに影響を与えるため、実用的でない。
【考案の開示】
【考案が解決しようとする課題】
【０００４】
この考案は、第一親骨、第二親骨及び第五親骨に凹部を形成して、傘の展開時に親骨を直線状に牽引することができ、且つ該凹部と親骨を一体に成型するため、加工が簡単で、材料を節減することができる折り畳み式傘を提供することを課題とする。
【課題を解決するための手段】
【０００５】
そこで、本発明者は従来の技術に見られる欠点に鑑みて鋭意研究を重ねた結果、第一親骨と、第二親骨と、第五親骨とを含んでなり、該第一親骨の一端に設けられたダボが第二親骨の一端に開閉自在に接続し、該第二親骨もしくは第一親骨及び第五親骨には親骨を直線状に牽引する凹部を形成し、該凹部の突出する方向が折り畳み式傘を展開する時に第二親骨の動作の方向と同じか、もしくは逆に形成される。
【０００６】
また、該凹部と第二親骨は一体に成型され、Ｖ字状、Ｕ字状、もしくは多辺形を呈するように形成することができるとともに、該凹部は第二親骨と第一親骨が開閉自在に接続する一端に隣接して形成され、且つ第二親骨、第一親骨及び第五親骨が中空でない円形の桿体に形成され、該第二親骨の接続端と第二親骨が一体に成型されるか、もしくは別々に形成して組み合わせてなる構造によって本考案の課題を解決できる点に着眼し、かかる知見に基づいて本考案を完成させた。
以下、この考案について具体的に説明する。
【０００７】
請求項１に記載の折り畳み傘は、第一親骨と、第二親骨と、第五親骨とを含んでなり、該第一親骨の一端に設けられたダボが第二親骨の一端に開閉自在に接続し、該第二親骨には親骨を直線状に牽引する凹部を形成する。
【０００８】
請求項２に記載の折り畳み式傘は、該第一親骨及び第五親骨に傘の展開時に該親骨を直線状に牽引する凹部を具えてなる。
【０００９】
請求項３に記載の折り畳み式傘は、請求項１もしくは請求項２における凹部が突出する方向が折り畳み式傘の展開時に該親骨の動作の方向と同じか、もしくは逆に形成する。
【００１０】
請求項４に記載の折り畳み式傘は、請求項１もしくは請求項３における凹部が第二親骨と一体に成型し、凹部は第二親骨と第一親骨が開閉自在に接続する一端に隣接して形成する。
【００１１】
請求項５に記載の折り畳み式傘は、請求項１における第一親骨のダボが第一親骨と一体に成型するか、もしくは別々に形成した後、組み合わせてなる。
【００１２】
請求項７に記載の折り畳み式傘は、請求項１、請求項２もしくは請求項３における親骨が中空でない円形の桿体に形成する。
【００１３】
請求項１に記載の折り畳み式傘は、請求項１における第二親骨の接続端が第二親骨と一体に成型するか、もしくは別々に形成した後、組み合わせてなる。
【００１４】
請求項８に記載の折り畳み式傘は、請求項１もしくは請求項２における凹部がＶ字、Ｕ字、もしくは多辺形を呈するように形成する。
【考案の効果】
【００１５】
この考案の折り畳み傘は、コストを節減でき、湾曲や歪みが発生することがなく、円滑に開閉することができ、使用寿命が延長されるという効果を有する。
【考案を実施するための最良の形態】
【００１６】
この考案は、構造が簡単で、傘を開閉する時に傘骨が湾曲、歪むことを防ぐ折り畳み式傘であって、第一親骨と、第二親骨とを含んでなり、該第一親骨の一端に設けられたダボが第二親骨の一端に回動自在に接続し、該第二親骨は折り畳み式傘を外方向へ向けて直線方向に接続部材が移動するように補助する凹部を形成する。
係る構成の折り畳み傘の構造ついて、その構造と特徴を詳述するために具体的な実施例を挙げ、以下に説明する。
【実施例】
【００１７】
図１、２に、この考案の構造を示した局部拡大図を開示する。図面によれば、この考案は、第一親骨１と、第二親骨２を含んでなる。該第一親骨１は一端縁部にダボ１１を設けてなり、該ダボ１１が第二親骨２の一端と開閉自在に接続する。該第二親骨２は親骨を中心から外側へ直線状に開くように補助する凹部２１が形成される。該凹部２１は突出する部分が折り畳み式傘を開く時に第二親骨２の動作の方向と同じになるように形成される。即ち、この実施例では第二親骨２が上方から下方へ移動するため、凹部２１の突出部分が上方に向けて突出するように形成される。実際の加工では、状況によって凹部２１の突出する部分を折り畳み式傘を開く時に第二親骨２が移動する方向と逆の方向に形成してもよい。
【００１８】
該凹部２１と第二親骨２は一体に成形される。該凹部２１は、第一親骨１に設けられたダボ１１に近い位置に形成される。該第二親骨２は中空でない円形の桿体を呈するように形成され、凹部２１はＶ字状、Ｕ字状など様々な形状を呈するように形成することができる。桿体の特性により、凹部２１から一定の方向に開くようになるため、第二親骨２は第一親骨１に対応して折り畳み式傘を開く場合、凹部２１が第二親骨２を所定の方向に牽引する。このため第二親骨２が湾曲、歪むことを防ぐ。即ち、展開した場合、第二親骨２が直線状となり、円滑に折り畳み式傘を開くことができる。
【００１９】
図３に、この考案を二段式の折り畳み式傘に形成した場合の局部拡大図を開示する。図面によれば、第一親骨１は内親骨になり、第二親骨２が外親骨になり、ダボを開閉自在に接続して折り畳み式傘の傘骨が形成される。該第一親骨１（即ち内親骨）は、Ｕ字状を呈するように形成するか、もしくは中空でない円形の桿体に形成し、一端が上ロクロ３に接続する。該第一親骨１は他端にダボ１１が設けられ、該ダボ１１と第一親骨１は一体に成型するか、もしくは別々に形成した後、接続する。
【００２０】
第二親骨２（即ち外親骨）は、一端がダボ１１と回動自在に接続し、第二親骨２の接続端と第二親骨２は一体に成型するか、もしくは組み合わせるように形成する。第二親骨２はダボ１１に隣接する部分に凹部２１が設けられる。該凹部２１は突出部分が折り畳み式傘を開く時に第二親骨２の動作の方向と同じになるように形成される。即ち、この実施例では第二親骨２が上方から下方に移動するため、凹部２１の突出部分が上方に突出するように形成される。
【００２１】
折り畳み式傘を開く場合、下ロクロ４を中棒に沿って上方に移動させると、受骨５が第一親骨１を押し動かして第一親骨１が中心から外方向へ移動し、連動して第二親骨２も中心から外方向へ移動して折り畳み式傘を開くことができる。第二親骨２は第一親骨１に対応して回転し直線状となり、この状態において、凹部２１により所定の方向に牽引される。このため第二親骨２の開閉が方向性を具えるようになる。即ち、展開した場合、直線状となり、湾曲や、歪みなどが発生しない。従って、円滑に折り畳み式傘の開閉が得られる。
【００２２】
図４に、この考案を三段式の折り畳み式傘に形成した場合の実施例を開示する。図面によれば、この実施例の折り畳み式傘は、内親骨、中親骨、外親骨、受骨などを含んでなる。この実施例では、第一親骨１が中親骨になり、第二親骨２が外親骨になり、両部材を開閉自在に接続して折り畳み式傘の傘骨を形成する。該第一親骨１（即ち中親骨）は、Ｕ字状を呈するように形成するか、もしくは中空でない円形の桿体に形成し、内側端縁部に受骨５を開閉自在に接続する。該受骨５は内側端縁部が下ロクロ４に開閉自在に接続する。内親骨６は内側端縁部が上ロクロ３に接続し、他端が受骨５の中段に開閉自在に接続する。
【００２３】
該第一親骨１（即ち中親骨）は一端にダボ１１を設けてなり、第一親骨１と一体に成型するか、それぞれ別々に形成した後、組み合わせてもよい。該第二親骨２（即ち外親骨）は一端がダボ１１と開閉自在に接続し、第二親骨２に隣接して設けられたダボ１１に対応する部分に凹部２１を設けてなる。該凹部２１は突出する部分が折り畳み式傘を開く時に第二親骨２の動作の方向と同じに形成される。
【００２４】
折り畳み式傘を展開する場合、下ロクロ４を中棒に沿って上方に移動させると、受骨５が内親骨６と第一親骨１（即ち中親骨）を押し動かして、内親骨６と第一親骨１が展開し、それに連動して第二親骨２（即ち外親骨）も展開する。
【００２５】
該第二親骨２は第一親骨１に対応して回転し、直線状となり、この状態において、凹部２１により所定の方向に牽引される。このため第二親骨２の開閉が方向性を具えるようになる。即ち、展開した場合、直線状となり、湾曲や、歪みなどが発生しない。従って、円滑に折り畳み式傘の開閉が得られる。
【００２６】
図５に、この考案を四段式の折り畳み式傘に形成した場合の実施例を開示する。図面によれば、この実施例における折り畳み式傘は、内親骨、内中親骨、外中親骨、外親骨、受骨などを含んでなる。この実施例では第一親骨１が内中親骨になり、第二親骨２が外中親骨になり、両部材を開閉自在に接続して折り畳み式傘の傘骨を形成する。
【００２７】
該第一親骨１（即ち内中親骨）は、Ｕ字状を呈するか、もしくは中空でない円形の桿体に形成し、一端が受骨５に回動自在に接続する。該受骨５は第一親骨１に接続する端縁部に対向する一端が下ロクロ４に滑動自在に接続する。内親骨６は、一端が上ロクロ３に滑動自在に接続し、他端が受骨５の中段に開閉自在に接続する。該第一親骨１（即ち内中親骨）の一端に設けられたダボ１１と一体に成型するか、もしくはそれぞれ別に形成した後、接続してもよい。該第二親骨２（即ち外中親骨）は一端がダボ１１と開閉自在に接続し、第二親骨２に隣接するダボ１１に対応する位置に凹部２１が形成される。該凹部２１は突出する部分が折り畳み式傘を開く時に第二親骨２の動作の方向と同じに形成される。該第二親骨２（即ち外中親骨）はダボ１１に接続する端縁部に対向する他端が外親骨７に開閉自在に接続する。
【００２８】
該折り畳み式傘を開く場合、下ロクロ４を中棒に沿って上方に移動させると、受骨５が内親骨６と第一親骨１（即ち内中親骨）を押し動かして内親骨６と第一親骨１が展開し、それに連動して第二親骨２（即ち外中親骨）も展開して折り畳み式傘を開くことができる。
【００２９】
第二親骨２は第一親骨１に対向して回転し、直線状となり、この状態において凹部２１により所定の方向に牽引される。このため第二親骨２の開閉が方向性を具えるようになる。即ち、展開した場合、直線状となり、湾曲や、歪みなどが発生しない。従って、円滑に折り畳み式傘の開閉が得られる。外親骨７は第二親骨２（即ち外中親骨）の駆動すると展開し、折り畳み式傘を完全に展開することができる。
【００３０】
図６に、この考案を自動開閉式の折り畳み式傘に設けた場合の実施例を開示する。図面によれば、この実施例の折り畳み式傘は、内親骨、内中親骨、外中親骨、外親骨、受骨などを含んでなる。この実施例では、第一親骨１が内中親骨になり、第二親骨２が外中親骨になり、両部材を開閉自在に接続して折り畳み式傘の傘骨を形成する。折り畳み式傘を開く場合、第二親骨２は第一親骨１に対応して回転し、直線状となり、この状態において凹部２１により所定の方向に牽引される。このため第二親骨２の開閉が方向性を具えるようになる。即ち、展開した場合、直線状となり、湾曲や、歪みなどが発生しない。従って、円滑に折り畳み式傘の開閉が得られる。折り畳み式傘を開く過程は他の製品と同じであるため、ここでは詳述しない。
【００３１】
図７に、凹部の突出する部分が折り畳み式傘を展開する時に第二親骨の動作の方向と逆に形成する場合の実施例を開示する。この実施例では４段式の折り畳み式傘に形成した場合の実施例を開示する。この実施例の折り畳み式傘は、内親骨、内中親骨、外中親骨、外親骨、受骨などを含んでなる。該第一親骨１が中親骨になり、第二親骨２が外中親骨になり、両部材を開閉自在に接続して折り畳み式傘の傘骨を形成する。該第二親骨（即ち外中親骨）は一端がダボ１１に開閉自在に接続し、第二親骨２に隣接するダボ１１に対応する位置に凹部２１が形成される。該凹部２１は、突出する部分が折り畳み式傘を開く時に第二親骨２の動作の方向と逆に形成される（即ち上向き）。該第二親骨２（即ち外中親骨）は、他端が外親骨７に開閉自在に接続する。
【００３２】
折り畳み式傘を展開する場合、下ロクロ４を中棒に沿って上方に移動させると、受骨５が内親骨６と第一親骨１（即ち内中親骨）を押し動かして、内親骨６と第一親骨１が展開し、それに連動して第二親骨２（即ち外中親骨）も展開する。該第二親骨２は第一親骨１に対応して回転し、直線状となり、この状態において、凹部２１により所定の方向に牽引される。このため第二親骨２の開閉が方向性を具えるようになる。即ち、展開した場合、直線状となり、湾曲や、歪みなどが発生しない。従って、円滑に折り畳み式傘の開閉が得られる。該外親骨７は、第二親骨２（即ち外中親骨）が駆動して展開すると、折り畳み式傘が完全に展開する。
【００３３】
図８に、凹部の突出する方向と折り畳み式傘を展開する時に第二親骨の動作の方向と逆に形成する場合の他の実施例を開示する。図面によれば、この実施例における第一親骨１は中親骨になり、第二親骨２が外親骨になり、両部材を開閉自在に接続して折り畳み式傘を形成する。該第一親骨１（即ち中親骨）はＵ字状か、もしくは中空でない円形の桿体に形成され、一端が受骨５に開閉自在に接続する。該受骨５は第一親骨１に接続する端縁部に対向する他端が下ロクロ４に接続する。該内親骨６は、一端が上ロクロ３に開閉自在に接続し、他端が受骨５の中段に開閉自在に接続する。第二親骨２（即ち外親骨）は一端がダボ１１に開閉自在に接続し、第二親骨２に隣接するダボ１１に対応する位置に凹部２１が形成される。該凹部２１は突出する方向が折り畳み式傘を開く時に第二親骨２の動作の方向と逆（即ち上向き）に形成される。
【００３４】
折り畳み式傘を展開する場合、第二親骨２は凹部２１により所定の方向に牽引される。即ち、展開した場合、直線状となり、湾曲や、歪みなどが発生しない。従って、円滑に折り畳み式傘の開閉が得られる。
【００３５】
図９に、凹部の突出する部分が折り畳み式傘を展開する時に第二親骨の動作の方向と同じ方向に形成される場合の実施例を開示する。この実施例では４段式の折り畳み式傘に形成した場合の実施例を開示する。この実施例の折り畳み式傘は、内親骨、内中親骨（第一親骨）、外中親骨（第二親骨）、外親骨、受骨（第五親骨）などを含んでなる。この実施例では該第一親骨１が内中親骨になり、第二親骨２が外中親骨になり、両部材を開閉自在に接続して折り畳み式傘の傘骨を形成する。
【００３６】
該第二親骨２（即ち外中親骨）は一端がダボ１１に開閉自在に接続し、第二親骨２に隣接するダボ１１に対応する位置に凹部２１が形成される。該凹部２１は、突出する部分が折り畳み式傘を開く時に第二親骨２の動作の方向と同じに形成される（即ち上向き）か、逆に形成される。該第一親骨１（内中親骨）及び第五受骨５（受骨）は、それぞれ凹部２１を設けてなる。該第二親骨２は他端が外親骨７に開閉自在に接続する。
【００３７】
折り畳み式傘を展開する場合、下ロクロ４を中棒に沿って上方に移動させると、第五親骨５（受骨）が内親骨６と第一親骨１（即ち内中親骨）を押し動かして、内親骨６と第一親骨１が展開し、それに連動して第二親骨２（即ち外中親骨）も展開する。該第二親骨２は第一親骨１に対応して回転し、直線状となり、この状態において、凹部２１により所定の方向に牽引される。このため第一親骨１、第二親骨２お呼び第五親骨５の開閉が方向性を具えるようになる。即ち、展開した場合、直線状となり、湾曲や、歪みなどが発生しない。従って、円滑に折り畳み式傘の開閉が得られる。また、該外親骨７は、第二親骨２（即ち外中親骨）が駆動して展開すると、折り畳み式傘が完全に展開する。
【００３８】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３９】
【図１】この考案の折り畳み傘を示した局部拡大図である。
【図２】この考案の折り畳み傘を示した局部拡大図である。
【図３】この考案の折り畳み傘を二段式に形成した場合を示した説明図である。
【図４】この考案の折り畳み傘を三段式に形成した場合を示した説明図である。
【図５】この考案の折り畳み傘を四段式に形成した場合を示した説明図である。
【図６】この考案の折り畳み傘を自動開閉式に形成した場合を示した説明図である。
【図７】この考案の折り畳み傘の凹部の突出部分を傘を展開する方向と逆に形成した場合を示した説明図である。
【図８】この考案の折り畳み傘を凹部の突出部分を傘を展開する方向と逆に形成した場合を示した説明図である。
【図９】この考案の折り畳み傘の凹部の突出部分を傘を展開する方向と同じ方向に形成した場合を示した説明図である。
【符号の説明】
【００４０】
１    第一親骨
１１  ダボ
２    第二親骨
２１  凹部
３    上ロクロ
４    下ロクロ
５    受骨（第五受骨）
６    内親骨
７    外親骨
【図１】
0003124060.tif 000003
【図２】
0003124060.tif 000004
【図３】
0003124060.tif 000005
【図４】
0003124060.tif 000006
【図５】
0003124060.tif 000007
【図６】
0003124060.tif 000008
【図７】
0003124060.tif 000009
【図８】
0003124060.tif 000010
【図９】
0003124060.tif 000011